(57)【特許請求の範囲】
【請求項１】
膜材を中間部定着体に固定するための定着部構造であって、
前記膜材の中間定着部は、左右それぞれの側の膜本体と、所定幅で中間部定着体方向に沿って実質的に連続する定着部形成用膜材と、所定幅で中間部定着体方向に沿って実質的に連続する補強膜材とから構成され、
前記定着部形成用膜材を長手方向に沿って折り畳み断面略Ｕ字状袋部を形成した状態で上面側に前記断面略Ｕ字状袋部を横断するように前記補強膜材を熱溶着し、前記定着部形成用膜材の下面側であってかつ前記断面略Ｕ字状袋部を跨いだ両側にそれぞれ前記膜本体の端部を熱溶着によって接合し、
前記断面略Ｕ字状袋内部にエッジロープを挿入し、前記エッジロープ呑込み部が長手方向に沿って形成された中間部定着体に固定したことを特徴とする膜材の中間部定着構造。
【発明の詳細な説明】
【０００１】
【発明の属する技術分野】
本発明は、各種膜構造物の屋根面や壁面等を形成する膜材を中間部定着体に固定するための定着構造に関する。
【０００２】
【従来の技術】
従来より各種膜構造物においては、屋根材、天井膜、内膜または側壁材として用いられる膜材を梁・柱パイプ、鋼材または躯体などの構造支持体に中間部定着体を介して固定するため各種の膜定着部構造が採用されている。たとえば、図７に示される膜定着部構造の例は、膜材の破断を防止するために膜本体５３の定着部に補強シート材５４を予め溶着しておくとともに、前記シート材５４の上面に定着プレート５５を設置し、前記膜本体５３、シート材５４および定着プレート５５のそれぞれに穿設してある貫通孔（図示せず）を挿通するようにボルト５２を設け、ナット５６を螺合して膜材を固定するようにした定着部構造である。
【０００３】
しかし、上記膜定着部構造の場合には、膜材を貫通するボルトを用いて構造支持体に固定させる構造であることから、作業現場における定着作業に多くの手間を要する、膜材に形成された貫通孔部が強度的弱点部に成り易い、貫通孔とボルトとの間から雨水等が浸入し易いなど問題があった。
【０００４】
このような問題を解決すべく、図８に示されるように、長手方向に沿って折曲げ、略Ｕ字状の袋部６１ａを形成しながら定着部形成用膜材６１を膜本体６２の下面側に熱溶着するとともに、前記略断面Ｕ字状袋６１ａ内部にエッジロープ６３を内挿し、このエッジロープ６３を内挿した略断面Ｕ字状袋部６１ａを中間部定着体６４に固定する構造が提案されている。
【０００５】
【発明が解決しようとする課題】
しかしながら、かかる膜中間部定着構造の場合、膜本体の定着部分の剥離強度が十分ではなく、特に図８(A)に示されるように、膜材６２を断面Ｖ字状に定着した場合には膜材６２に上方向の力が作用することになり、定着部形成用膜材６１の縁部から徐々に剥離が生じることがあった。
【０００６】
そこで、本発明の主たる課題は、膜材の中間定着部における剥離強度を向上させた膜材の定着部構造を提供することにある。
【０００７】
【課題を解決するための手段】
前記課題を解決するための請求項１に係る本発明として、膜材を中間部定着体に固定するための定着部構造であって、
前記膜材の中間定着部は、左右それぞれの側の膜本体と、所定幅で中間部定着体方向に沿って実質的に連続する定着部形成用膜材と、所定幅で中間部定着体方向に沿って実質的に連続する補強膜材とから構成され、
前記定着部形成用膜材を長手方向に沿って折り畳み断面略Ｕ字状袋部を形成した状態で上面側に前記断面略Ｕ字状袋部を横断するように前記補強膜材を熱溶着し、前記定着部形成用膜材の下面側であってかつ前記断面略Ｕ字状袋部を跨いだ両側にそれぞれ前記膜本体の端部を熱溶着によって接合し、
前記断面略Ｕ字状袋内部にエッジロープを挿入し、前記エッジロープ呑込み部が長手方向に沿って形成された中間部定着体に固定したことを特徴とする膜材の中間部定着構造が提供される。
【０００８】
上記本発明の定着部構造においては、たとえ膜材を断面Ｖ字状に定着したとしても、膜本体に剥離方向の力が作用しない膜定着構造となっているため、従来の定着構造に比べて飛躍的に剥離強度の増加が望めるようになる。
【０００９】
【発明の実施の形態】
以下、本発明の実施の形態について図面を参照しながら詳述する。
図１は本発明に係る膜材の中間部定着構造を示す横断面図であり、図２はその側面図、図３は膜材の加工断面図である。
【００１０】
本中間部定着構造１においては、先ずパイプ梁材２の上面側に、膜材定着用ファスナー７（中間部定着体）を設置するための設置座面を形成するため、前記パイプ梁材２の長手方向に所定の間隔で、ウエブ３Ａ及び上フランジ３Ｂから構成され側面視で略Ｔ字状を成す定着支持部材３、３…が溶接等によって固設されている。前記上フランジ３Ｂの両側には夫々ボルト通孔が形成されている。
【００１１】
前記膜材定着用ファスナー７は、アルミやアルミ合金等からなる押出し型材で、下部側には部材長手方向に沿ってボルト頭部用嵌合部７ａが形成されるとともに、上部側にはエッジロープ呑込み部７ｂが形成されている。
【００１２】
前記膜材定着用ファスナー７の取付けは、前記ボルト頭部用嵌合部７ａ内に頭部を嵌合させるように２本の固定用ボルト５、５を取付け、これら固定用ボルト５，５のネジ部を前記上フランジ３Ｂに形成された通孔に夫々挿通し、上フランジ３Ｂの下面側において前記ボルトネジ部にナット６を螺合し締結する。なお、前記膜材定着用ファスナー７は、前記定着支持部材３，３間に夫々取付け、実質的に長手方向に沿って連続させるようにする。
【００１３】
一方、膜材側においては、詳細には図３に示されるように、膜材の定着部を、左右それぞれの側の膜本体８Ａ、８Ｂと、所定幅で中間部定着体７方向に沿って実質的に連続する定着部形成用膜材９と、所定幅で中間部定着体方向に沿って実質的に連続する補強膜材１０とから構成するようにする。具体的には、前記定着部形成用膜材９を長手方向に沿って折り畳み、断面略Ｕ字状袋部９ａを形成した状態でその上面側に前記折り畳み後の定着部形成用膜材９の幅寸法とされる補強膜材１０を熱溶着し、前記定着部形成用膜材９の下面側であってかつ前記断面略Ｕ字状袋部９ａを跨いだ両側にそれぞれ膜本体８Ａ、８Ｂを熱溶着によって接合するようにする。そして、定着に当たっては、前記断面略Ｕ字状袋部９ａ内部にエッジロープ１１を挿入し、前記膜材定着用ファスナー７のエッジロープ呑込み部７ｂに断面略Ｕ字状袋部９ａと共にエッジロープ１１を端部側から挿入し定着を図るようにする。なお、前記定着部形成用膜材９および補強膜材１０は、エッジロープ１１の方向に実質的に連続していればよく、中間で溶着部や不連続部があっても構わない。
【００１４】
前記膜本体８Ａ、８Ｂは、ガラス繊維織物（基布）に四フッ化エチレン樹脂を主成分とする樹脂をコーティングした膜材であり、一方、前記定着部形成用膜材９および補強膜材１０としては、一般に前記膜本体８Ａ、８Ｂと同種・同色の膜材料が使用される。
【００１５】
また、熱溶着に当たっては、膜材同士の接合面に、好ましくは溶着媒体となる１枚のＦＥＰフィルム（四フッ化エチレン−六フッ化プロピレン共重合体フィルム）を間に介しながら熱溶着装置によって圧力と共に熱を所定時間加え、溶着を行うのが望ましい。
【００１６】
かかる中間部定着構造の場合には、中間部定着点を支持点として膜材を断面Ｖ字状に張架したとしても、膜本体８Ａ、８Ｂと定着部形成用膜材９との間に剥離方向の力が働かないとともに、膜本体８Ａ、８Ｂに導入された張力が前記補強膜材１０を介して伝達されるようになる。なお、この補強膜材１０は、定着部形成用膜材９に断面略Ｕ字状袋部９ａの形状を保持する保持材としても機能しているものである。
【００１７】
【実施例】
図４に示されるように、本発明に係る膜材中間部定着構造を採用した供試体２０（本発明例）と、図５に示されるように、従来法に係る膜材中間部定着構造を採用した供試体２１（比較例）とを夫々作製し、これらについて剥離試験を行い比較を行った。なお、試験は図６に示されるように、供試体の側縁部に設けられたエッジロープ２４、２４を夫々端部定着体２２、２２に固定するとともに、中間定着部に設けられたエッジロープ２５を中間部定着体２３に固定し、中間部定着体２３を上方向に５０mm/minの引上げ速度で引上げ、剥離強度を調べた。また、膜材は異方性であるため膜材の方向を縦方向（Ｘ方向）としたものと、横方向（Ｙ方向）としたものの２ケースについて試験を行った。試験は３回行いその平均値とした。その結果を表１に示す。
【００１８】
【表１】
0003906902.tif 000002
【００１９】
表１から明らかなように、本発明に係る定着部構造の場合には比較例と対比すると、約５０〜７０％の剥離強度増加が見込めるようになる。
【００２０】
【発明の効果】
以上詳説のとおり本発明によれば、膜材の中間定着部における剥離強度を飛躍的に向上させることが可能となる。
【図面の簡単な説明】
【図１】  本発明に係る膜材の中間部定着構造を示す横断面図である。
【図２】  その側面図である。
【図３】  膜材の加工断面図である。
【図４】  実施例における本発明に係る供試体を示す、(A)は平面図、(B)は膜材定着部加工詳細図である。
【図５】  実施例における比較例に係る供試体を示す、(A)は平面図、(B)は膜材定着部加工詳細図である。
【図６】  剥離試験要領を示す図である。
【図７】  従来の中間部定着構造（その１）を示す断面図である。
【図８】    従来の中間部定着構造（その１）を示す、(A)は断面図、(B)は膜材定着部加工詳細図である。
【符号の説明】
２…パイプ梁材、３…定着支持部材、７…膜材定着用ファスナー、８Ａ・８Ｂ…膜本体、９…定着部形成用膜材、１０…補強膜材
【図１】
0003906902.tif 000003
【図２】
0003906902.tif 000004
【図３】
0003906902.tif 000005
【図４】
0003906902.tif 000006
【図５】
0003906902.tif 000007
【図６】
0003906902.tif 000008
【図７】
0003906902.tif 000009
【図８】
0003906902.tif 000010